Podtech/llm-jp-corpus-v4-ja_patent huggingface dataset:
(57)【要約】      （修正有）【課題】正座しての楽器演奏の時に使う楽譜見台の天板に二本の脚を保持、解除の頻度に関係なく、その保持能力を持続させて保持、解除の簡単確実な譜見台を提供する。【解決手段】押しスプリング５とそれに押しつけられた球体４が格納されていてその一部はすき間１３が切り取られた脚保持部３の二個を天板裏面２の二箇所に同じ向きに固着し、その部材の巾の中心線上の一点に丸棒６を固着し丸棒穴１１と傾斜溝１０を付けられた球面くぼみ９が施された板８をくぼみ面を下向きにして脚本体７の端より突き出した形で固着し丸棒納め穴１２を開ける。脚本体７に固着した板８の丸棒穴１１を天板裏面２に固着しつき出ている丸棒６にかぶせ丸棒６を支点として脚本体７を回し球面くぼみ９をすき間１３に入り込ませると押しスプリング５に強く押しつけられいる球体４に突き当たるが傾斜溝１０により楽に球体４は押し上げられ球面くぼみ９に納まることができる。【選択図】図３
0003147629.tif 000002
【実用新案登録請求の範囲】
【請求項１】
天板裏面２の二筒所に同じ向きに押しスプリング３と球体４を格納しその一部を、すき間１３になるように切り取った脚保持部３を固着しその部材巾の中心線上の一点に丸棒６を突き出した形で固着した天板１と、丸棒穴１１と傾斜溝１０を付けた球面くぼみ９を施した板８をくぼみ面を下向きにして脚本体７に、その端より突き出した形で固着し丸棒納め穴１２を開けた脚本体７の二脚とで構成された座奏用の譜見台。
【考案の詳細な説明】
【技術分野】
【０００１】  本考案は、正座して楽器演奏する時に楽譜を乗せる二本脚の楽譜見台に関する。
【背景技術】
【０００２】  座奏譜見台の構成は楽譜を乗せる天板とその天板に角度と高さを持たせる二本の脚の３点からなっていて、天板の裏面に二本の脚を装着する方法は天板裏面の二箇所に雌形の溝を設け脚にその雌形に合う雄形を形成した部分を天板の雌形に押し込む方法や、雄雌絡み合うテープを天板、脚にそれぞれを張りつけて使用する方法や、絡み合うテープのかわりに磁石を使用するものがある。
【特許文献】    実開  昭６１−２５８３２号  公報
【考案が解決しようとる課題】
【０００３】  脚の雄形を天板の雌形へ押し込む方法では雄雌形の寸法をきつ目に作り摩擦力で脚の保持を維持しているが使い始めは押し込み引き抜きにくく、使用頻度により摩擦力が弱まり簡単に抜け落ちるなどの欠点がある。
【０００４】  また雄雌の絡み合うテープの方法では、テープ自体が柔軟性の素材であるため使用にあたって楽譜をめくるたびに譜見台がふらついたり、使用頻度によりテープの絡み具合も弱くなるなどの欠点がある。
【０００５】  絡み合うテープの代わりに磁石を使う方法では、磁石の特性として面吸着ではそれなりの吸着力を維持するが吸着組み立てた後、天板を持って（脚は下がっている状態）いて不用意にも外力が掛かって、面吸着の一部が浮き上がれば磁力吸着は急激に弱まり脱落させることがあり、摩擦力や雄雌絡み合うテープや磁石などでの脚の保持は上述のような欠点は避けがたい。本考案は、かかる欠点を解決することを課題とする。
【課題を解決するための手段】
【０００６】  図１．４．２．３、に従って説明する。（二本の脚機能は同形、同機能であるため一脚分として説明する）天板裏面２の二箇所に押しスプリング５と球体４を格納しその一部を板８が楽に入り込めるほどのすき間１３として切り取ってある脚保持部３を固着し（球体はスプリングの力で天板裏面を強く押しつけている状態である）その部材巾の中心線上の一点に丸棒６を突き出した形で固着する。
【０００７】  丸棒穴１１と球面くぼみ９を、そのくぼみの中心に向け両縁より傾斜溝１０を施してある板８のくぼみ面を下向きにして脚本体７にその端より突き出した形で固着し丸棒６が入り込めるように丸棒穴１１と同径の穴を丸棒６の突き出た長さに応じた深さの丸棒納め穴１２を開ける。
【０００８】  丸棒６と球体４との中心距離と丸棒穴１１と球面くぼみ９との中心距離は同じとする。
【考案の効果】
【０００９】  図３．４参照。脚本体７に固着した板８の丸棒穴１１を天板裏面２に固着しつき出ている丸棒６にかぶせ丸棒６を支点として脚本体７を回し球面くぼみ９をすき間１３に入り込ませると押しスプリング５に強く押しつけられいる球体４に突き当たるが傾斜溝１０により楽に球体４は押し上げられ球面くぼみ９に納まることができ脚本体７を脱落させることなく保持することが出来、叉、丸棒６の外径と丸棒穴１１の内径の差を小さくすればセット後の横ゆれを小さくすることが出来る。
【００１０】  保持を外すには脚本体７を右か左に回せば球面くぼみ９の球面のくぼみ面が球体４を押し上げ楽に外すことができ、回転させる力は人の手で回す以外に他の不用意な外力で回転を受ける事はない。
【００１１】  上述のように本考案は脚の保持にあたって摩擦力や雄雌のからみ合うテープや磁石などと違い、保持の作用はスプリングの力と球体による機械的な効果によるものであるが、たとえば一分間に数百回の保持、解除を実際問題として行うことはあり得ず実用的な保持、解除であればスプリングが折れることは考えられないので使用頻度にかかわらず保持能力を持続する事が出来る。
【考案を実施するための最良の形態】
【実施例】
【００１２】  図１．を参照して説明すると、天板裏面に装着する二本の脚は同形で同じ機能であるため、説明は一脚として行う、天板裏面２の二箇所に同じ向きにして押しスプリング５と球体４を格納しその一部を板８が楽に入り込めるすき間１３になるように切り取った脚保持部３を固着し、図４．１．参照、その部材巾の中心線上の一点に丸棒６を突き出た形で固着し、図２．参照、丸棒６が入りうる直径の丸棒穴１１と球面くぼみ９を施した板８を脚本体７にその端よりくぼみ面を下向きにし突き出した形で固着し丸棒６が入り込めるように丸棒穴１１と同じ直径の穴を丸棒６の突き出た長さに応じた深さの丸棒納め穴１２を開ける。【００１３】  丸棒６と球体４、丸棒穴１１と球面くぼみ９との中心距離は同じとする。【００１４】  球面くぼみ９の中心に向けて板８の両縁より球体４がスムーズに通りうるように傾斜溝１０を丸棒穴１１の中心から球面くぼみ９の中心までの距離を半径とした円周上に施す。
【図面の簡単な説明】
【００１５】
【図１】  本考案の実施形態を示す天板要部の側面断面図。
【図２】  本考案の実施形態を示す脚の側面図。
【図３】  本考案の実施形態を示す側面図。
【図４】  本考案の実施形態の図３におけるＡ−Ａ線断面図（本考案の実施形態を分かり易く示すため脚本体７の保持、解除の直前、直後を示す）。
【符号の説明】
【００１６】  １  天板                          １０  傾斜溝
２  天板裏面                      １１  丸棒穴
３  脚保持部                      １２  丸棒納め穴
４  球体                          １３  すき間
５  押しスプリング
６  丸棒
７  脚本体
８  板
９  球面くぼみ
【図１】
0003147629.tif 000003
【図２】
0003147629.tif 000004
【図３】
0003147629.tif 000005
【図４】
0003147629.tif 000006
(57)【要約】      （修正有）【課題】エンジン式及び電気式の土間コンクリート、スラブ（デッキスラブ）コンクリートの、均し及び仕上げ機械用円板を回転させることでコンクリート表面下の気泡や表層剥離を防止する円板を提供する。【解決手段】円板に空気穴付くぼみを付けることで円板を回転させても円板の中心付近のポンプ作用が生じず、コンクリート骨材の砂利を均一にし、コンクリート仕上げ面の製品精度を格段に上げ従来の作業工程時間を大幅に短縮し、土木、建築の工事現場の工期短縮に大きく貢献するものである。【選択図】図２
0003147669.tif 000002
【実用新案登録請求の範囲】
【請求項１】
土間及びスラブ（デッキスラブ）コンクリート均し及び仕上げ用エンジン式（電気式）機械に取り付ける（通称）円板（円盤型平面版）従来円板には穴が開いていないのに対し、円板の中心に円及び多角形のくぼみを付け、そのくぼみ（中心を含む）に空気穴を開けたところを特徴とする空気穴付円板。
【請求項２】
同上の形式円板で、円板の中心に円及び多角形くぼみ部分が着脱式の空気穴付円板。
【請求項３】
同上の形式円板で、円板の中心に円及び多角形くぼみ部分が溶接で取り付けた形式の空気穴付円板。
【請求項４】
同上の形式円板で、円板の中心に円及び多角形くぼみ部分が接着剤で取り付けた形式の空気穴付円板。
【請求項５】
同上の形式円板で、円板の中心に円及び多角形くぼみ部分がプレス機等で取り付けた圧着形式の空気穴付円板。
【請求項６】
同上の形式円板で、円板の中心に円及び多角形くぼみ部分が両面テープやマジックテープで貼り付けた形式の空気穴付円板。
【請求項７】
同上の形式円板で、円板の中心に円及び多角形くぼみ部分がはめ込み式で取り付けた形式の空気穴付円板。
【請求項８】
同上の形式円板で、円板の中心に円及び多角形くぼみ部分が磁力で着脱式の空気穴付円板。
【請求項９】
同上の形式円板で、円板の中心に円及び多角形くぼみ部分がリベット等のかしめ、又は、締め付け形式の空気穴付円板。
【請求項１０】
同上の形式円板で、円板の中心に円及び多角形くぼみ部分がハンダ付けで取り付けた形式の空気穴付円板。
【請求項１１】
同上の形式円板で、円板の中心に円及び多角形くぼみ部分がゴムバンド等で押さえた着脱式の空気穴付円板。
【請求項１２】
同上の形式円板で、円板の中心に円及び多角形くぼみ部分が縫いこみ式で取り付けた形式の空気穴付円板。
【請求項１３】
同上の形式円板で、円板の中心に円及び多角形くぼみ部分があみあげ式で取り付けた形式の空気穴付円板。
【請求項１４】
同上の形式円板で、円板の中心に円及び多角形くぼみ部分がジッパーで取り付けた形式の空気穴付円板。
【請求項１５】
同上の形式円板で、円板の中心に円及び多角形くぼみ部分が土間及びスラブ（デッキスラブ）均し及び仕上げ用機械の回転部分で押さえる着脱式の空気穴付円板。
【請求項１６】
同上の形式円板で、円板の中心に円及び多角形くぼみ部分がクリップ等の挟みこみ式で着脱形式の空気穴付円板。
【請求項１７】
同上の形式円板で、円板の中心に円及び多角形くぼみ部分がクサビ等で取り付けた着脱形式の空気穴付円板。
【考案の詳細な説明】
【技術分野】
【０００１】  本考案は、エンジン式及び電気式の土間コンクリート、スラブ（デッキスラブ）コンクリートの、均し及び仕上げ機械用円板に関するものである。
【背景技術】
【０００２】  従来はコンクリート打設後、エンジン式及び電気式機械の穴の無い円板を回転させて均し及び仕上げ作業を行っていたため、円板と接触しているコンクリートに遠心力が働き、円板中心から外側にコンクリートがはじきだされ、その結果円板の中心付近にコンクリートを下から吸い上げるポンプ作用が生じ、コンクリートに空気が入り、気泡やコンクリート表層のむしれ現象でコンクリートの表層剥離がたまに起こっていた。
【考案の開示】
【考案が解決しようとする課題】
【０００３】  穴の無い円盤は回転すると、その性質上、接触する物を中心から外側へはじきだす遠心力が働くため、中心付近は、必ず、下から物を吸い上げるポンプ作用が生じてしまう、従って円盤の中心にくぼみを付け、そのくぼみ（中心を含む）に空気穴を開けることで前述の欠点を解決しようとするものである。
【課題を解決するための手段】
【０００４】  本考案は、円板の中心に円及び多角形のくぼみを付けそのくぼみ（中心を含む）に、空気穴を開けることにより問題点を解決している。
【考案の効果】
【０００５】  上述のように本考案の空気穴付円板は、円板の中心に、円及び多角形のくぼみ（中心を含む）に空気穴が開くことにより、円板の回転運動で生じる円板中心付近の遠心力によるポンプ作用が無くなる、尚且つ、くぼみの中に適度なノロ（ノロとは、バイブレーター等で、コンクリートに振動を加えたり撹拌した時にコンクリート中の骨材である砂利が均等に沈み込み肌理の細かい薄いコンクリート表面状態の通称）が溜まり、土間やスラブ（デッキスラブ）コンクリート均し及び仕上げ用機械に円板を装着し回転させ、スライドする速度や、円板の回転数をコントロールすることにより、円板中心に設けたくぼみの遠心力でくぼみ内にあるノロ拡散が容易にコントロールできる、従ってコンクリートの均し及び仕上げ前下地及び仕上げ後のコンクリート表面下に気泡や表層剥離が無くなり、コンクリート仕上げ表面の製品制度が格段に上がる、又、作業工程時間も、従来比三分の一程度で済む。
【考案を実施するための最良の形態】
【０００６】  コンクリート打設後に、人がコンクリート上で作業を行う為に履くアルミスリッパや、スポンジスリッパを着用して、作業ができる程度のコンクリート上に空気穴付円板を置きその上に土間及びスラブ（デッキスラブ）コンクリート均し、仕上げ用機械（エンジン式、電気式）を乗せて装着し円板を回転させる。
【実施例】
【０００７】  以下、添付図面に従って実施例を説明する。・は、鉄、ステンレス鋼、耐久性プラスチック、耐久性ゴム、カーボン炭素素材、セラミックス、ハードクロームメッキ等メッキ済みアルミニューム、等の一体化形成型と請求項目２から請求項目１７の取り付け型及び着脱型の空気穴付円板図１、図２の１に５を乗せて４にはめこんで回転させる。
【図面の簡単な説明】
【０００８】
【図１】  真上から見た空気穴付円板の平面図と機械
【図２】  真横か見たコンクリートと空気穴付円板の断面図と機械
【符号の説明】
【０００９】    １  空気穴付円板本体（各種取り付け式と各種着脱式くぼみ付き本体）
２  くぼみ部分（各種取り付け式と各種着脱式くぼみ部分）
３  穴（空気穴）
４  機械固定用金具
５  土間及びスラブ（デッキスラブ）コンクリート均し及び仕上げ機械
６  コンクリート骨材の砂利
７  コンクリート
８  ノロ（ノロとは、バイブレーター等で、コンクリートに振動を加えたり撹拌した時にコンクリート中の骨材である砂利が均等に沈み込み肌理の細かい薄いコンクリート表面状態の通称）
【図１】
0003147669.tif 000003
【図２】
0003147669.tif 000004
(57)【要約】      （修正有）【課題】電動歯ブラシの駆動部をそのまま利用した、高周波で歯肉をタッピングできる電動歯ブラシ型歯肉マッサージ器を提供する。【解決手段】１、は電動歯ブラシ型の駆動部分であり、２、はその金属製モーター伝達差込固定軸でありソケット式に差し込む形状方式とし、その回転運動は、４、の樹脂製内部回転軸に回転が伝達され、その回転軸に固定された、５、の２個の対称前後取り付け金属製偏芯重りが偏移振幅運動に変換、すなわち高周波振動に変わり、その振動は、３、の樹脂製歯肉マッサージアタッチメント全体に、上下２種の高周波のバイブレーター振動を発生させ、６、はアタッチメント先端歯肉接面形状の凸面で樹脂ゴム凹凸面であり、その上下２種のバイブレーター振動が歯肉へ効果的なタッピング運動として伝わり歯肉のマッサージとなる。また、３、は交換式ソケット形状方式とし、在来の電動歯ブラシの駆動部をそのままも利用可能とする。【選択図】図３
0003147663.tif 000002
【実用新案登録請求の範囲】
【請求項１】
電動歯ブラシ型の駆動モーターの伝達差込固定軸に歯肉マッサージアタッチメントであるソケット式の円筒形基部を差し込み固定する形状とし、アタッチメントの円筒内部空間に２個の対称前後取り付け金属製偏芯重りを固定した内部回転軸を装填し、伝達された駆動モーターの回転運動をアタッチメント全体にバイブレーター振動をさせる構造とし、そのアタッチメント先端歯肉接面形状を凸面で樹脂ゴム凹凸面とし、交換式ソケット形状で、在来の電動歯ブラシの駆動部をも使用可能としたところを特徴とする歯肉マッサージ器。
【考案の詳細な説明】
【技術分野】
【０００１】  本考案は在来の電動歯ブラシの駆動部に装着できる、互換性タイプの歯肉マッサージ器に関するものである。
【背景技術】
【０００２】  在来の電動歯ブラシは、ブラシの回転運動だけであり、歯磨き動作を目的としていて、歯肉用ではなく、本考案のような簡便で互換性タイプでバイブレーター振動の歯肉マッサージ対応型はない。
【考案の開示】
【考案が解決しようとする課題】
【０００３】  電動歯ブラシの交換ブラシ部を取替え装着すれば、簡便で高周波の歯肉マッサージができ、前述の欠点を解決するものである。
【課題を解決するための手段】
【０００４】  本考案は、電動歯ブラシの交換ブラシ部の取替え装着タイプとし、電動歯ブラシ型の駆動モーターの伝達差込固定軸に歯肉マッサージアタッチメントであるソケット式の円筒形基部を差し込み固定する形状とする。
それゆえ、そのモーター伝達差込固定軸から、歯肉マッサージアタッチメントに装填された内部回転軸へ回転運動が伝わり、同回転軸を回転させ、その軸に固定された２個の対称前後取り付け金属製偏芯重りで偏移振幅運動に変換、すなわち高周波振動に変わる。
その振動は歯肉マッサージアタッチメント全体に、上下２種の高周波のバイブレーター振動を発生させ、そのアタッチメント先端歯肉接面形状を凸面で樹脂ゴム凹凸面とすることで、その上下２種のバイブレーター振動が歯肉へ効果的なタッピング運動として伝わり歯肉へのマッサージとなる。
また、交換式ソケット形状方式とすることで、在来の電動歯ブラシの駆動部をそのままも利用可能としている。
【考案の効果】
【０００５】  上述のように、交換可能なソケット形状方式ゆえ、容易に交換でき、手じかであり、歯肉接面が樹脂ゴム凹凸による高周波振動のマッサージは歯肉の血行改善などに、優れた効果がある。
【考案を実施するための最良の形態】
【０００６】  差し込み形状を在来の電動歯ブラシと同型とし、また一般的歯ブラシとほぼ同じ大きさにすることで、歯ブラシ感覚での歯肉マッサージが容易になる。
【実施例】
【０００７】  添付図に従って実施例を説明する。電動歯ブラシの交換ブラシ部の取替え装着タイプとし、電動歯ブラシ型の駆動モーターの伝達差込固定軸に歯肉マッサージアタッチメントであるソケット式の円筒形基部を差し込み固定する形状とする。１、は電動歯ブラシ型の駆動部分であり、２、はその金属製モーター伝達差込固定軸でありソケット式に差し込む形状方式とし、その回転運動は、４、の樹脂製内部回転軸に回転が伝達され、その回転軸に固定された、５、の２個の対称前後取り付け金属製偏芯重りが偏移振幅運動に変換、すなわち高周波振動に変わり、その振動は、３、の樹脂製歯肉マッサージアタッチメント全体に、上下２種の高周波のバイブレーター振動を発生させ、６、はアタッチメント先端歯肉接面形状の凸面で樹脂ゴム凹凸面であり、その上下２種のバイブレーター振動が歯肉へ効果的なタッピング運動として伝わり歯肉のマッサージとなる。また、３、は交換式ソケット形状方式とし、在来の電動歯ブラシの駆動部をそのままも利用可能とする。
【産業上の利用可能性】
【０００８】  電動歯ブラシの取替え装着タイプとしての歯肉マッサージ器は電動歯ブラシとの互換性を持つことにより付加価値的商品となりうる。
【図面の簡単な説明】
【０００９】
【図１】本考案の全体姿図
【図２】本考案の姿図
【図３】本考案の断面図
【符号の説明】
【００１０】１  電動歯ブラシ型の駆動部
２  同上の回転運動を伝達する金属製モーター伝達差込固定軸部
３  本案の樹脂製歯肉マッサージアタッチメント部
４  同上樹脂製内部回転軸部
５  回転運動を偏移振幅運動に変換する２個の対称前後取り付け金属製偏芯重り
６  アタッチメントの振動を歯肉に伝える凸面樹脂ゴム凹凸部
【図１】
0003147663.tif 000003
【図２】
0003147663.tif 000004
【図３】
0003147663.tif 000005
(57)【要約】【課題】    壁付けコンセントにプラグ又はタップ等を差込み、長期間使用していて差込口に溜まる塵埃等に基づくトラッキング火災を防止する。【解決手段】  コンセントに差込むプラグやタップの上部に難燃性のシリコンゴム材の防塵カバーを設ける。防塵カバーの上側約１０ｍｍに両面テープを貼り、コンセント面に貼り付け固定する。貼り付けた根本から防塵カバーをＬ字型に折り曲げる、曲部には曲げ易くするため溝加工を施してある。防塵カバーをＬ字型にした状態で、プラグを差込むことにより、プラグ差込口に溜まる塵埃、水分等を完全に遮断する。尚、プラグを使用しない時は、防塵カバーの弾性により基に戻るためコンセント面に添って垂直に下がり、差込口を覆い、塵埃、異物等の侵入を防ぐ構造を形成する。【選択図】図１
0003147662.tif 000002
【実用新案登録請求の範囲】
【請求項１】
室内壁付けコンセント（１）の差込口に差込まれたプラグ（３）又はタップ（６）の上部に難燃性材で弾力性のある硬質で折り曲げの効くシリコンゴム性の防塵カバー（２）、（５）を有し、その上側約１０ｍｍ程度に両面テープ（４）を貼り付け、裏面をコンセント面にも貼着して固定する、両面テープで貼着された根本から防塵カバーをＬ字型に折り曲げる、折り曲げ易くするため、曲部には溝加工（Ａ部）を設ける、幅１ｍｍ、深さ０．５ｍｍ程度の溝を防塵カバーの表側に施して、折り曲げたカバー部が前記差込口をカバーするように構成され、前記両面テープがコンセントの表面に貼着されるようにしたことを特徴とするコンセント。
【請求項２】
請求項１に記載したコンセントに貼着された防塵カバーであって、該防塵カバーは、端部に両面テープが貼り付けされ、その根本部分で折り曲げ可能とした特徴を有する防塵カバーであって、プラグを使用しない場合は、両面テープの根本から折り曲げられた個所より弾性力のあるシリコンゴムが弾性により基に戻ることにより、コンセント面に垂直に下がり差込口を覆う機能を特徴とする防塵カバー。
【考案の詳細な説明】
【技術分野】
【０００１】  本考案は、コンセント面に防塵カバーが貼り付けられているため、塵埃、水分等の浸入を完全に遮断することが可能である。
又、プラグの他に差込口を複数有するタップ等を差込む場合は、防塵カバーの幅の広い各サイズのものを使用することで、差込口の塵埃を防止できる。尚、プラグを使用しない場合は、差込口を防塵カバーで覆う構造を備えているため、差込口から侵入する塵埃、水分、異物等を防止する安全性を有している。
【背景技術】
【０００２】  室内の壁付けコンセントには、長期間プラグを差込み使用していて、プラグの差込口に塵埃等が溜まり水分を含み、プラグの差込刃部間で短絡しトラッキング現象により火災が発生している。その解決方法で完璧なものがない現状である、即ち、差込んだプラグとコンセント面間に隙間が生じ、溜る塵埃、水分等を完全に遮断する構造のものがなく、完全にトラッキング現象を防止出来ないのが現状である。
【考案の開示】
【考案が解決しようとする課題】
【０００３】  トラッキング現象を完全に防止するためには、コンセント面と差込まれたプラグ間の隙間を完全に無くすことであるが、プラグ差込の加減により隙間を完全に無くすことは困難である。従い、差込まれたプラグ上部で侵入する塵埃、水分等を完全に遮断することで前述の欠点を解決しようとするものである。
【課題を解決するための手段】
【０００４】  本考案は、コンセント面の塵埃、水分の浸入を遮断するため、差込まれたプラグのコンセント面の上部に防塵カバーの上側を貼り付けＬ字型に折り曲げてプラグの上部を覆い、差込口に溜まる塵埃等を遮断して問題を解決している。又プラグを差込まず使用しないコンセントの差込口は現状カバーがなく、長期に渡り空気中に浮遊する塵埃等が差込口に溜まるのを防塵カバーにて覆う構造にて課題を解決し安全性を向上させている。
【考案の効果】
【０００５】  コンセントに差込まれたプラグの上部にコンセント面に貼り付けた防塵カバーで密着性を有しており塵埃、水分等の浸入を完全に遮断しているため、プラグの差込がコンセント面で隙間が生じていても差込口に塵埃等が溜まることがないため、トラッキング現象が起こることのない効果がある。【０００６】  コンセントにプラグを差込まず、即ち使用しない場合、コンセントの差込口が現状は露出しているものを、防塵カバーで覆うことにより、安全性を向上させる。【０００７】該防塵カバーは、シンプルながら機能性が高く、且つ安価であり既存のコンセントへは、両面テープで貼着するのみてあり取り付けも簡単である。尚、新製されるコンセントには、該防塵カバー付きのコンセントとして商品化し普及することで、現状発生するトラッキング現象を解決出来る。
【考案を実施するための最良の形態】
【０００８】  該考案の防塵カバーは、プラグを差込まず使用しない場合は、コンセントの差込口を覆い、塵埃、水分、異物等の侵入を遮断している。
プラグを差込む際は、防塵カバーの上側の両面テープでコンセント面に貼り付けた根本をＬ字型に折り曲げプラグを差込むことにより、防塵カバー上面で塵埃、水分等の侵入を遮断するため、プラグ差込口は保護される。
プラグを抜き使用しない時は、防塵カバーで差込口を覆うようになる。
【実施例１】
【０００９】  室内壁付けコンセント（１）に差込まれたプラグ（３）又はタップ（６）の上部に難燃性材で弾力性のある硬質で折り曲げの効くシリコンゴム性の防塵カバー（２）、（５）を有し、その上側約１０ｍｍ程度に両面テープ（４）を貼り付け、裏側をコンセント面にも貼り付けて固定する。
両面テープで貼り付けた根本から防塵カバーをＬ字型に折り曲げる。折り曲げ易くするため、曲部には溝加工（Ａ部）を設ける。幅１ｍｍ、深さ０．５ｍｍ程度の溝を防塵カバーの表側に施して、プラグを差込むことにより、プラグ差込口に溜まる塵埃、水分等の侵入を遮断し、トラッキングを防止する構造を有する方法である。【００１０】  該方法における、防塵カバー（２）は、プラグを差込まず、即ち使用しない場合は、両面テープの根本から折り曲げられた個所より弾性力のあるシリコンゴムが弾性により基に戻ることにより、コンセント面に垂直に降りて差込口を覆う構造を有している。
従い、コンセントの差込口への塵埃、水分、異物等の侵入を遮断する。
【実施例２】
【００１１】コンセントの差込口にトリプルタップ、又はコーナータップ等を差込んでプラグを使用する場合は、前記の防塵カバーの寸法ではプラグの根本の塵埃等の侵入を遮断できないため、図３に示す防塵カバーのＡ寸法、Ｂ寸法を夫々プラグの差込口部まで長くした防塵カバーを使用することで、タップ等の使用にも対応可能としてある。
【図面の簡単な説明】
【００１２】
【図１】  本考案の全体図
【図２】  本考案の側面図
【図３】  トリプルタップ使用図
【符号の説明】
【００１３】１  壁付けコンセント
２  防塵カバー
３  プラグ
４  両面テープ
５  タップ対応防塵カバー
６  トリプルタップ
【図１】
0003147662.tif 000003
【図２】
0003147662.tif 000004
【図３】
0003147662.tif 000005
(57)【要約】      （修正有）【課題】釣りに用いるオモリが障害物に根掛りしたとき、ラインをあおるだけで、容易に障害物から抜けることを可とする根掛回避おもりを提供する。【解決手段】金属製もしくは合成樹脂製のオモリ本体Ｂの形状が、ナツメ型、フットボール型、あるいは双円錐形、双楕円錐形、双多角錘形もしく円柱形の両端に球面状の面取り部が施された略円柱形、多角柱の両端に多角錘の面取り部が施された略多角柱形であって、赤道面を有する形状においてはその垂直方向の中央断面の縦横比を、その他の形状においては長手方向に沿った中央断面の縦横比を少なくとも１．３以上にし、その本体Ｂにライン貫通用の穴Ｃを、短手方向に沿った中心線もしくは、それより上部に設ける。この構造によりラインをあおると、根掛りした本体の横幅が障害物の隙間の幅より狭くなり、その障害物をすり抜けることで根掛りを回避できる。【選択図】図１
0003147665.tif 000002
【実用新案登録請求の範囲】
【請求項１】
魚釣りに用いる中通しオモリであって、金属製もしくは合成樹脂製のオモリ本体がナツメ型、フットボール型、あるいは双円錐形、双楕円錐形、双多角錘形もしくは円柱形の両端に球面状の面取り部が施された略円柱形、多角柱の両端に多角錘の面取り部が施された略多角柱形で、赤道面を有する形状においてはその垂直方向の中央断面の縦横比を、その他の形状においては長手方向に沿った中央断面の縦横比を、少なくとも１．３以上にし、当該オモリ本体にライン貫通用の穴を、短手方向に沿った中心線もしくは、それより上部に設ける構造を有したオモリ。
【考案の詳細な説明】
【技術分野】
【０００１】  本考案は釣りに用いられるオモリに関する。
【背景技術】
【０００２】  従来の中通しオモリはライン貫通用の穴が、円錐形状においてはその頂点から底面への中心線に、ナツメ型、フットボール型、双円錐形状、双楕円錘形状、双多角錘形状においては長手方向に沿った中心線に、球体においては中心軸に設けられていた。
【考案の開示】
【考案が解決しようとする課題】
【０００３】  従来から存在するこの種のオモリは水中の石・岩・ブロックなどの障害物に根掛りしたときに、オモリが根に固定されてしまい、オモリを外す事が困難であった。
【課題を解決するための手段】
【０００４】  本考案は金属製もしくは合成樹脂製のオモリ本体の形状が、ナツメ型、フットボール型、あるいは双円錐形、双楕円錐形、双多角錘形もしくは円柱形の両端に球面状の面取り部が施された略円柱形、多角柱の両端に多角錘の面取り部が施された略多角柱形であって、赤道面を有する形状においてはその垂直方向の中央断面の縦横比を、その他の形状においては長手方向に沿った中央断面の縦横比を少なくとも１．３以上にし、その本体にライン貫通用の穴を、短手方向に沿った中心線もしくは、それより上部に設けることにより、仕掛けを落とし込む時、巻いてくる時に、本体は長手方向を進行方向正面にして移動するが、本体長手方向の先端部分が障害物の隙間に引っ掛り、根掛りしても、本体長手方向に沿った中央断面の縦横比が少なくとも１．３以上で、ラインが短手方向に沿った中心線もしくは、それより上部に貫通している為、ラインをあおると、本体長手方向がラインを中心に回転し、角度が変わる為、根掛りした本体の横幅が障害物の隙間の幅より狭くなりその障害物をすり抜けることを可能にすることで問題を解決している
【考案の効果】
【０００５】  上述のように本考案のオモリは根掛りを回避し、釣りの効率を高める事はもちろん、根掛かりを大幅に減少させることにより、より経済的で、水中に残される釣具の廃棄物などを減らす為、環境への配慮という観点からも効果的である。
【実施例】
【０００６】  以下、添付図面に従って一実施例を説明する。Ａは金属製もしくは合成樹脂製のナツメ型、フットボール型、あるいは双円錐形、双楕円錐形、双多角錘形もしく円柱形の両端に球面状の面取り部が施された略円柱形、多角柱の両端に多角錘の面取り部が施された略多角柱形であって、赤道面を有する形状においてはその垂直方向の中央断面の縦横比を、その他の形状においては長手方向に沿った中央断面の縦横比を少なくとも１．３以上にしたオモリ本体Ｂの長手方向の正面図であるが、オモリ本体Ｂに貫通用の穴Ｃを、短手方向に沿った中心線もしくは、それより上部に設ける。
【図面の簡単な説明】
【０００７】
【図１】本考案の一実施例を示す中通しオモリ本体の正面図である。
【符号の説明】
【０００８】Ａ  中通しオモリ本体
Ｂ  金属製もしくは合成樹脂製のナツメ型、フットボール型、あるいは双円錐形、双楕円錐形、双多角錘形もしくは円柱形の両端に球面状の面取り部が施された略円柱形、多角柱の両端に多角錘の面取り部が施された略多角柱形で、赤道面を有する形状においてはその垂直方向の中央断面の縦横比を、その他の形状においては長手方向に沿った中央断面の縦横比を少なくとも１．３以上にしたオモリ本体
Ｃ  ライン貫通用の穴
【図１】
0003147665.tif 000003
(57)【要約】【課題】本考案の目的は、同一形状のブロック同士の連結であっても、ブロック組み立て後にブロックの接合面を回動させ、一旦組み立てたブロックの形を変え遊ぶ事が出来る、幼児、児童の思考力、想像力をより発達させる為のブロック玩具を提供することである。【解決手段】本考案のブロック玩具は、プラスチック製で、楕円柱の両側を切り口が正円形になるように斜めにカットし、楕円柱の側面に３個の正四角形の凹部１、片方の接合面中央に１個の突出する正四角柱の凹部２、もう片方の接合面中央に１個の突出する正円柱の凸部３を設けた形状であり、上記ブロックの凹部と凸部を複数個連結しブロックを組み立て、その後正円形のブロックの接合面を回動させ、同一形状のブロック同士の連結の場合も、一旦組み立てたブロックの形を変えられるものである。【選択図】図１
0003147667.tif 000002
【実用新案登録請求の範囲】
【請求項１】
楕円柱の両側を切り口が正円形になるように斜めにカットし、楕円柱の側面に３個の正四角形の凹部１、片方の接合面中央に１個の突出する正四角柱の凹部２、もう片方の接合面中央に１個の突出する正円柱の凸部３を設けた形状であり、上記ブロックの凹部と凸部を複数個連結しブロックを組み立て、その後正円形のブロックの接合面を回動させ、同一形状のブロック同士の連結の場合も、一旦組み立てたブロックの形を変えられる事を特徴とするプラスチック製のブロック玩具。
【考案の詳細な説明】
【技術分野】
【０００１】本考案は楕円柱の両側を切り口が正円形になるように斜めにカットした形状で、ブロックを組み立て後、回動できる機能をもった、幼児、児童の思考力、想像力をより発達させるためのブロック玩具に関するもの。
【背景技術】
【０００２】従来公知のブロック玩具は、単純な形状に凹部と凸部を連結し組み立てるものが多く、組み立て後は変形し難い。組み立て後ブロックの形を変える場合は、複数種類のパーツが必要となったり、同一形状のブロックを組み立てた場合は連結態様が限られる。
【考案の開示】
【考案が解決しようとする課題】
【０００３】このように従来のブロック玩具は、同一形状のブロックを組み立てた場合は連結態様が限られ、ブロック組み立て後にブロックの形を変えて遊ぶ場合は、複数種類のパーツが必要となる。【０００４】本考案は、同一形状のブロック同士の連結であっても、ブロック組み立て後にブロックの接合面を回動させ、一旦組み立てたブロックの形を変え遊ぶ事が出来る、幼児、児童の思考力、想像力をより発達させる為のブロック玩具を提供することを目的とするものである。
【課題を解決するための手段】
【０００５】本考案のブロック玩具は、プラスチック製で、楕円柱の両側を切り口が正円形になるように斜めにカットし、楕円柱の側面に３個の正四角形の凹部１、片方の接合面中央に１個の突出する正四角柱の凹部２、もう片方の接合面中央に１個の突出する正円柱の凸部３を設けた形状であり、上記ブロックの凹部と凸部を複数個連結しブロックを組み立て、その後正円形のブロックの接合面を回動させ、同一形状のブロック同士の連結の場合も、一旦組み立てたブロックの形を変えられるものである。一例として図４のように凹部２と凸部３を連結した場合は、接合面を１８０度回動させると図５のように変形し、その逆も出来る。
【考案の効果】
【０００６】本考案のブロック玩具は、同一形状のブロック同士の組み立てであっても、連結、組み立て後に接合面を回動させて、一旦組み立てたブロックの形を更に変えて遊ぶことを可能にしたものであり、更に玩具としての面白さを増加させ、幼児、児童の思考力、想像力をより発達させるものである。
【考案を実施するための最良の形態】
【０００７】本考案の実施の形態については、本考案のブロック玩具は、複数個のプラスチック製ブロックからなり、ブロック単体の形状は、楕円柱の両側を切り口が正円形になるように斜めにカットし、楕円柱の側面に３個の正四角形の凹部１、片方の接合面中央に１個の突出する正四角柱の凹部２、もう片方の接合面中央に１個の突出する正円柱の凸部３を設けたものである。ブロックの正四角形の凹部１と突出する正四角柱の凹部２は同じ大きさの角穴であり、正円柱の凸部３とかみ合う大きさである。【０００８】本考案のブロックの玩具の遊び方については、前記形状のブロックの凹部１又は２と凸部を複数個連結させ色々な形を組み立て後、ブロックの接合面４を回動させ、一旦組み立てたブロックの形を変えて遊ぶものである。
【図面の簡単な説明】
【図１】ブロックの裏を示した平面図である。
【図２】ブロックの側面図である。
【図３】ブロックの表を示した平面図である。
【図４】ブロック接合の１例を示す図である。
【図５】ブロック接合の１例を示す図である。
【符号の説明】
１  凹部
２  突出する四角柱の凹部
３  突出する円柱の凸部
４  正円形の接合面
【図１】
0003147667.tif 000003
【図２】
0003147667.tif 000004
【図３】
0003147667.tif 000005
【図４】
0003147667.tif 000006
【図５】
0003147667.tif 000007
(57)【要約】      （修正有）【課題】ＵＯ鋼管のビードの切削に当たり、回転させることができかつ、鋼管の長手方向に移動することのできるカッターを使用し切削後の真円度の精度向上並びに作業効率と環境の改善を図ることができるＵＯ鋼管外面ビード切削用カッターを提供する。【解決手段】ＵＯ鋼管の外面ビ−ドを切削する為に機械構造用部材１の軸に嵌合穴２と、円周上に半径Ｒを持つ円弧とする母線３が軸のまわりに回転して生ずる円弧回転面４を設け、円弧回転面４に超硬チップ５を一定の間隔に千鳥配列に取り付ける。ビード切削に当たっては、切削用カッターを駆動軸に取りつけ、ビード面上で該カッターを電動機等により高速に回転させて切削する。【選択図】図１
0003147668.tif 000002
【実用新案登録請求の範囲】
【請求項１】
機械構造用材料を必要とする真円度に加工した部材（１）の中心軸に嵌合穴（２）と円周上に半径Ｒを円弧とする母線（３）が中心軸のまわりに回転して出来る
円弧回転面（４）を設け、円弧回転面（４）に超硬チップ（５）が一定間隔を持ち千鳥配列に取り付けたことを特徴とするＵＯ鋼管外面ビ−ド切削用カッタ−。
【考案の詳細な説明】
【技術分野】
【０００１】本考案は、ＵＯ鋼管外面ビ−ド部分を切削する為に設けた、カッタ−に関するものである。
【背景技術】
【０００２】ＵＯ鋼管（深海用肉厚鋼管で１枚の鉄板をＵ字形からＯ形にプレスして円筒形に成形）の製造工程に於いて継目の溶接から生じるビ−ド部の除去は作業者がハンドグラインダ−を手持ちで行われていた。
又ハイスカッタ−も市販されている。
【考案の開示】
【考案が解決しようとする課題】
【０００３】これには次ぎのような欠点があった。
（イ）ビ−ド部の除去に作業者がハンドグラインダ−を手持ちで行うので能率が悪く除去の際に発生する粉塵など環境も悪い。
（ロ）ビ−ド部除去箇所の真円度の精度が出ない。
（ハ）ハイスカッタ−の使用は冷却液を使用する為、ＵＯ鋼管の後工程（塗装）に支障をきたし、又冷却液を濾過する為に環境設備の費用がかかる。
（ニ）ハイスは超硬に比べて刃の寿命が短い。
【課題を解決するための手段】
【０００４】本考案はＵＯ鋼管の外面ビ−ドを切削する為に機械構造用部材（１）の軸に嵌合穴（２）と、円周上に半径Ｒを持つ円弧とする母線（３）が軸のまわりに回転して生ずる円弧回転面（４）を設け、円弧回転面（４）に超硬チップ（５）を一定の間隔に千鳥配列に取り付けた事を特徴とするカッタ−である。
【考案の効果】
【０００５】上述の様に、本考案のＵＯ鋼管外面ビ−ド切削用カッタ−を駆動軸に取り付け、装置を運転し高速回転で切削する為、作業能率や加工精度の向上、作業者の過酷な負担が無くなり作業環境も改善され、コストの低減が計られる。
【考案の実施するための最良の形態】
【０００６】以下本考案の実施の形態を説明する。
（イ）機械構造用部材（１）をＮＣ工作機械に取り付ける。
（ロ）半径Ｒとする円弧の母線（３）が機械構造用部材（１）の軸を回転して円弧回転面が出来る様に加工する。
（ハ）円弧回転面（４）に超硬チップ（５）を一定間隔を持ち千鳥配列に埋め込み．ねじ締め付け方法で取り付ける。
【実施例】
【０００７】以下添付図面に従って実施例を説明する。
（イ）部材（１）はＳＣＭ４３５又はＳ４５Ｃ等適宜素材である。
（ロ）嵌合穴（２）は本考案のカッタ−を駆動装置の軸に取り付ける穴である。
（ハ）円弧母線（３）は半径Ｒとする円弧である。
（ニ）円弧回転面（４）は円弧母線（３）が部材（１）が中心軸を回転して出来る回転面である。
（ホ）超硬チップ（５）は円弧回転面（４）に取り付けた超硬合金の刃物である。【０００８】（イ）６は図２に示す樣に駆動装置の軸に取り付けた本考案カッタ−である。
（ロ）７はＵＯ鋼管である。
（ハ）８は溶接の際に出来たビ−ドである。
（ニ）９は本考案カッタ−を回転する為の駆動モ−タ−である。
【図面の簡単な説明】
【０００９】
【図１】本考案のＵＯ鋼管外面ビ−ド切削用カッタ−の斜視図である。
【図２】本考案の実施例を示す斜視図である。
【符号の説明】
【００１０】  １部材
２嵌合穴
３円弧母線
４円弧回転面
５超硬チップ
６本考案カッタ−
７ＵＯ鋼管
８ビ−ド
９駆動モ−タ−
【図１】
0003147668.tif 000003
【図２】
0003147668.tif 000004
(57)【要約】      （修正有）【課題】建築・土木現場において、安価・高弾性の止水板を提供する。【解決手段】芯材にプラスチック２層板、外装材に粘着性非加硫ブチルゴムを使用した止水板を利用することにより、建築土木分野で、コンクリート打継部の止水が確実に出来る。芯材に安価なプラスチック２層板を使う事で、市場における同規格のブチルゴム止水板に比べ、製造コストの低減を実現している。またプラスチック２層板は、補強仕切板を持つ中空構造の形状で高い弾性を持つため、より復元性の高いブチルゴム止水板となっている。【選択図】図１
0003147692.tif 000002
【実用新案登録請求の範囲】
【請求項１】
補強仕切板を持つプラスチック２層板を芯材とした粘着性非加硫ブチルゴムからなる止水板。
【考案の詳細な説明】
【技術分野】
【０００１】
考案は建築・土木分野で広く使用されている止水板に関する。
【背景技術】
【０００２】
コンクリート構造物を建造する際に発生するコンクリート打継部は、コンクリートが一体化していないため、水を通しやすく、構造物内部への漏水の原因となる事が多い。
そのため現在、多くのコンクリート構造物で、コンクリート打継部の止水を目的として、コンクリート打継部に粘着性非加硫ブチルゴム止水板（以下ブチルゴム止水板と称する）を埋め込む工法がとられている。
【考案の開示】
【考案が解決しようとする課題】
【０００３】
現在、コンクリート打継部の止水を目的として、様々なタイプのブチルゴム止水板が提案、使用されている。
しかしながら近年、ゴム価格の高騰に伴い、ブチルゴム止水板製造コストの上昇が課題となっている。
また、粘着性非加硫ブチルゴムは弾性に乏しいため、ブチルゴム止水板が変形した際の止水効果低減の課題もある。
【課題を解決するための手段】
【０００４】
本考案者は、ブチルゴム止水板の実用化について種々検討を行い、補強仕切板を持つ２層のプラスチック板を芯材とした粘着性非加硫ブチルゴムからなる止水板（以下考案の止水板と称する）を使用することにより、安価で高弾性のブチルゴム止水板ができることを見い出した。
【考案の効果】
【０００５】
考案の止水板は、芯材に安価なプラスチック２層板を使う事で、市場における同規格のブチルゴム止水板に比べ、製造コストの低減を実現している。
また考案の止水板の芯材に使われるプラスチック２層板は、補強仕切板を持つ中空構造の形状で高い弾性を持つため、考案の止水板は、より復元性の高いブチルゴム止水板となっている。
【考案を実施するための最良の形態】
【０００６】
考案に、補強仕切板を有する２層プラスチック板の材質は特に規定されないが、通常ポリエチレン、ポリプロピレン等が軽量で、仕切板の間隔もほぼ２層プラスチック板同士の間隔厚さと等しい程度にある、一般に所謂プラスチックダンボールに使用される板材が工業的に容易に入手可能で本考案の達成に有用である。粘着性非加硫ブチルゴムもシール材として一般に広く使用されているブチルゴムが適用できるが、その厚みは１mm~５mm程度が芯材との密着性が良く、止水効果達成に望ましい。更に考案の止水板の幅は適用すべき規模、部位によって異なるが、通常1０mm〜２００mm程度が実用上有用である。
【実施例】
【０００７】
（実施例１）
幅２０mm、厚さ４mm、補強仕切板間隔４mm、長さ５ｍのポリエチレン製２層板状品に、２３℃において針入度６５の硬さで厚さ３mmの粘着性非加硫ブチルゴムを被覆して、プラスチック２層板を芯材としたブチルゴム止水板を作成した。
【産業上の利用可能性】
【０００８】
考案の止水板は安価・高弾性で、芯材補強仕切部の折り曲げが容易で、直角コーナー部への追随が可能であり、またコンクリート打継部への取付も容易であることから、建築・土木等施工現場で広く適用可能で有用な止水板である。
【図面の簡単な説明】
【０００９】
【図１】考案の止水板の概観図である。
【符号の説明】
【００１０】
１    補強仕切部を有する２層プラスチック板
２    補強仕切部
３    粘着性非加硫ブチルゴム
【図１】
0003147692.tif 000003
(57)【要約】      （修正有）【課題】マッサージを受ける人、行なう人が身体に負担をかけないで楽しくマッサージができる様にする移動式マッサージイス補助具を提供する。【解決手段】イスの足元に車を取付け左右に手スリの付いたレール枠に乗せ前後に移動させることができる。レール４を取付けたレール枠２に手スリ枠３を取付け、連結枠６で左右のレール枠２を固定して戸車を取付けたイス１をレール枠２に乗せる。左右のレール枠２の間にマッサージを受ける人がうつ伏せになり、マッサージを行なう人はイス１に腰掛け左右の手スリ３をつかみ両足を使い、マッサージを受ける人の全身に体重をかけずにマッサージを行ないながら手スリ枠３を使い、イス１を移動させながら全身をマッサージする。【選択図】図１
0003147642.tif 000002
【実用新案登録請求の範囲】
【請求項１】
イスの足に車を取付け左右に手スリのついたレール枠に乗せ前後に移動させることができるイス．
【考案の詳細な説明】
【技術分野】
【０００１】〔本考案はマッサージを受ける人．行なう人が楽しく身体に負担をかけないでマッサージを行なうことを目的とするものである．
【背景技術】
【０００２】イスに腰掛けイスを移動させてマッサージを行なう器具を見かけない、
【考案の開示】
【考案が解決しようとする課題】
【０００３】うつ伏になって足モミでマッサージを受ける人はマッサージを行なう人の片足でモムか両足でモム時は全体重がかかり全身をマッサージするとなると重労動である
本考案はこれらの問題点を解決するためになされたものである
【課題を解決するための手段】
【０００４】イスの足元に車を取付左右に手スリの付いたレール枠に乗せ前後に移動させることができるイス．
【考案の効果】
【０００５】マッサージを行なう人がイスに腰掛け手スリ枠をにぎりイスを前後に移動させて両足をつかって体重をかけずに全身をマッサージできる．
【考案を実施するための最良の形態】
【０００６】レール（４）を取付けたレール枠（２）に手スリ枠（３）を取付け連結枠（７）で左右のレール枠（２）を固定して戸車（５）を取付けたイス（１）をレール枠（２）に乗せる
本考案は以上の構成より成る．
本考案を使用する場合は
左右のレール枠（２）の間にマッサージを受ける人がうつ伏せになりマッサージを行なう人はイス（１）に腰掛け左右の手スリ（３）をつかみ両足を使いマッサージを受ける人の全身を体重をかけずにマッサージを行ないながら手スリ枠（３）を使いイス（１）を移動させながら全身をマッサージする．
【図面の簡単な説明】
【０００７】
【図１】本考案の視斜図
【図２】本考案の左右の側面図
【図３】〃  前面図、背面図
【図４】〃  断面図Ａ−Ａ図２
【図５】〃  真上より見た図
【符号の説明】
【０００８】（１）イス（２）レール枠（３）手スリ枠（４）レール（５）戸車（６）連結枠
【図１】
0003147642.tif 000003
【図２】
0003147642.tif 000004
【図３】
0003147642.tif 000005
【図４】
0003147642.tif 000006
【図５】
0003147642.tif 000007
(57)【要約】      （修正有）【課題】縦、横、斜め方向へ３次元的に３６０度の全方向へ同時に送風を行うことができる回転式全方向扇風機を提供する。【解決手段】プロペラを垂直に取り付けたプロペラ軸を、ガイドレールに沿って移動する車輪によって回転させ、角度を変え、プロペラ軸回転モーターによってプロペラ軸を回転させることによりプロペラによって送風する。又、支柱回転部を回転させる事で、送風方向を変えることにより、３次元的な送風を行う。【選択図】図１
0003147643.tif 000002
【実用新案登録請求の範囲】
【請求項１】
プロペラ軸に対し垂直方向にプロペラを有する扇風機であって、モーターによりプロペラ軸、車輪、支柱回転部を駆動させ、縦、横、斜め方向に３６０度の送風を行える事を特徴とする回転式全方向扇風機
【考案の詳細な説明】
【技術分野】
【０００１】
本考案は、扇風機の送風装置の構造に関する。
【背景技術】
【０００２】
従来の扇風機は、同時に一方向しか送風できず、首振り機構を使用しても送風方向に制限があった。又、首振り機構が３６０度回転しても水平方向３６０度にしか送風できなかった。
【考案の開示】
【考案が解決しようとする課題】
【０００３】
上述の如く、従来技術に係る扇風機は送風方向、首振り角度に制限があり、同時に一方向へしか送風することができない。
【０００４】
本考案は、このような現状に鑑みて、同時に３６０度方向への送風を可能とするプロペラ軸が、集電式車輪付きモーターの車輪によってガイドレールを移動することにより、任意の角度の３６０度方向へ３次元的に送風を行える事を特徴とする。
【課題を解決するための手段】
【０００５】
上述の目的を達成する本考案の回転式全方向扇風機は、モーターでプロペラ軸を回転させ風を送り出すもので、外周のガイドレールに沿ってモーター駆動の車輪で回転するプロペラ軸と、モーター駆動により枠を回転させる支柱回転部を有する事を特徴とする。
【０００６】
ガイドレールは電導式となっており、軸の根本部にある集電式車輪付きモーターの集電部により電力を集め、モーターに供給するものである。その為、ガイドレールの外側に絶縁部を設け、又、枠の外周に沿ってガードを設けることにより、安全性にも配慮している。
【考案の効果】
【０００７】
本考案により、正面から後方にかけ、プロペラ軸を中心に、縦、横、斜め３６０度方向への送風が可能となる。
【考案を実施するための最良の形態】
【０００８】
以下、本考案の実施の形態を図面に基づき詳細に説明する。
【０００９】
本扇風機は、外周を形成する枠１の中に絶縁部１３を設けた電導式ガイドレール２に沿ってプロペラ軸６が集電式車輪付きモーター３によって駆動し、又、車輪１２が電動式ガイドレール２に沿って回転する構造となっている。
【００１０】
プロペラ５はプロペラ軸６に垂直に取り付けられ、プロペラ軸回転モーター４によりプロペラ軸６を中心に３６０度回転し風を起こす。
【００１１】
又、枠１自体も支柱回転部モーター７により３６０度水平方向に回転する。
【００１２】
スイッチ９の付いた土台１０に支柱８を立て、その上に支柱回転部モーター７の付いた枠１を取り付ける。
【００１３】
プロペラ５により、人体に損傷がないようにガード１１を設ける。
又、これは同時に電導式ガイドレール２に触れて感電することも防いでいる。
【実施例】
【００１４】
本、回転式全方向扇風機を中心に、人間が周囲に集まり、送風を行うと、全方向の人間に対して涼風を送る事ができる。
【００１５】
野球場の応援席や、コンサートホールの座席のように階段状になっている場所においても、プロペラ軸の角度を変える事により、その場の形状に合わせた全方向への送風が可能となる。
【００１６】
又、支柱回転部やプロペラ軸の角度、方向を調整することにより、上からの風、下からの風、右、左からの風というように風向きを操ることができる。
【産業上の利用可能性】
【００１７】
本考案は、家庭用、業務用扇風機を製造、販売する分野で利用することができる。
【図面の簡単な説明】
【００１８】
【図１】本考案の実施の形態に係る回転式全方向扇風機の正面図である。
【図２】図１の扇風機の左側面図である。
【図３】図１の扇風機の回転部における平面断面図である。
【図４】図１の扇風機の正面断面図である。
【図５】図１の扇風機の通常時の回転部正面図である。
【図６】図５の回転部の斜め方向固定時の正面図である。
【図７】図５の回転部の横方向固定時の正面図である。
【符号の説明】
【００１９】
１  枠
２  電導式ガイドレール
３  集電式車輪付きモーター
４  プロペラ軸回転モーター
５  プロペラ
６  プロペラ軸
７  支柱回転部モーター
８  支柱
９  スイッチ
１０  土台
１１  ガード
１２  車輪
１３  絶縁体
【図１】
0003147643.tif 000003
【図２】
0003147643.tif 000004
【図３】
0003147643.tif 000005
【図４】
0003147643.tif 000006
【図５】
0003147643.tif 000007
【図６】
0003147643.tif 000008
【図７】
0003147643.tif 000009
【手続補正書】
【提出日】平成20年11月5日(2008.11.5)
【手続補正１】
【補正対象書類名】実用新案登録請求の範囲
【補正対象項目名】全文
【補正方法】変更
【補正の内容】
【実用新案登録請求の範囲】
【請求項１】
プロペラ軸に対し、垂直方向にプロペラを有する扇風機であって、モーターにより回転する支柱回転部を設けた枠内の、円形のガイドレールの内側に沿って移動するモーター駆動の車輪を有した棒状のプロペラ軸をモーターにより回転させ、プロペラにより、縦、横、斜め方向に３６０度の送風を行えることを特徴とする回転式全方向扇風機。